(57)【要約】【課題】  電気生理学的データを心臓カテーテルから取得する一方、一連の視覚的表示を提示する。【解決手段】  表示は、心臓とその内部の心臓カテーテルの遠位部分との各現在の画像を含み、心臓カテーテルの遠位部分を表すカテーテルのアイコンを更に含み、このカテーテルのアイコンは、表示における心臓の画像と分離している。カテーテルのアイコンは、心臓カテーテルの機能的要素を表す印を有する。【選択図】  図１
2015039631.tif 000002
【特許請求の範囲】
【請求項１】
データ処理システムであって、
プロセッサと、
視覚的表示画面と、
プログラム及びデータオブジェクトを内部に記憶する、該プロセッサにアクセス可能なメモリと、を含み、該プログラムは、グラフィカル情報を該視覚的表示画面に提示するよう構成されているグラフィカルユーザーインターフェースジェネレータを含み、該プログラムの実行により、該プロセッサは、
心臓カテーテルを用いて心臓からの電気生理学的データを取得しながら、一連の視覚的表示を提示する工程であって、該表示は、該心臓と該心臓カテーテルの遠位部分との各現在の画像を含み、該心臓カテーテルの該遠位部分を表すカテーテルのアイコンを更に含み、該カテーテルのアイコンは、該心臓の該画像と分離されており、該カテーテルのアイコンは、該心臓カテーテルの機能的要素を表す印を有する、工程を行う、データ処理システム。
【請求項２】
前記カテーテルのアイコンが、前記心臓内の前記心臓カテーテルの前記遠位部分の現在の向きと一致する向きを有する、請求項１に記載のシステム。
【請求項３】
前記一連の視覚的表示を提示する工程が、前記心臓の前記画像に対して前記カテーテルのアイコンを拡大する工程を含む、請求項１に記載のシステム。
【請求項４】
前記一連の視覚的表示を提示する工程が、各視覚的キューを前記カテーテルのアイコンの前記印に適用する工程を含み、該視覚的キューが、前記心臓カテーテルの各機能的要素の状態を符号化する、請求項１に記載のシステム。
【請求項５】
前記視覚的キューが、前記機能的要素の１つに関連付けられた、色及びパターンのうちの少なくとも１つを含む、請求項４に記載のシステム。
【請求項６】
前記視覚的キューが、前記機能的要素の１つと関連付けられた数値記述子を含む、請求項４に記載のシステム。
【請求項７】
前記視覚的キューが、前記機能的要素の１つと関連付けられた形状を含む、請求項４に記載のシステム。
【請求項８】
前記視覚的キューが、前記機能的要素の１つのデエンファシスを含む、請求項４に記載のシステム。
【請求項９】
前記心臓の前記画像が、機能的な電気解剖学的画像を含む、請求項１に記載のシステム。
【発明の詳細な説明】
【技術分野】
【０００１】
（関連出願の相互参照）
本願は、参照により本明細書に組み込まれる米国特許仮出願第６１／８６７６６４号の利益を主張するものである。
【０００２】
（発明の分野）
本発明は、医用撮像システムに関する。より詳細には、本発明は、心臓カテーテル法の改良に関する。
【背景技術】
【０００３】
心房細動などの心不整脈は、心臓組織の諸区域が、隣接組織に、電気信号を異常に伝導することによって、正常な心周期を阻害し、非同期的な律動を引き起こす場合に発生する。
【０００４】
不整脈を治療するための処置には、不整脈を発生させる信号の発生源の位置を特定し、その発生源を外科的に遮断すること、並びにかかる信号の伝導経路を遮断することが挙げられる。カテーテルを介してエネルギーを適用することにより、心臓組織の選択的アブレーションを行うことによって、心臓の一部分から別の部分への、望ましくない電気信号の伝播を、阻止又は変更することが可能な場合もある。このアブレーション処理は、非導電性の損傷部位を形成することによって望ましくない電気経路を破壊するものである。
【発明の概要】
【課題を解決するための手段】
【０００５】
心臓内の電気活動は、通常、複数電極カテーテルを前進させることにより測定し、心腔の複数のポイントにおける電気活動を同時に測定する。心臓カテーテル法をモニタするための現代の撮像システムに統合されたグラフィカルユーザーインターフェースは、動的に変化する多くの情報を、複数電極から操作者に提示し、操作者による情報の効率的な処理を促進する。
【０００６】
本発明の実施形態による医療処置のガイドをするための方法が提供されており、この方法は、心臓カテーテルを生存被験者の心臓内に挿入した後、心臓カテーテルから心臓に関連する電気生理学的データを取得することによって実行する。電気生理学的データを取得する一方、この方法は、一連の視覚的表示を提示することによって更に実行され、この表示は、心臓とその内部の心臓カテーテルの遠位部分との各現在の画像を含み、心臓カテーテルの遠位部分を表すカテーテルのアイコンを更に含み、このカテーテルのアイコンは、表示における心臓の画像と分離している。カテーテルのアイコンは、心臓カテーテルの機能的要素を表す印を有する。
【０００７】
方法の一態様によると、カテーテルのアイコンは、心臓内の心臓カテーテルの遠位部分の現在の向きと一致する向きである。
【０００８】
方法の別の態様によると、一連の視覚的表示を提示する工程は、心臓の画像に対してカテーテルのアイコンを拡大する工程を含む。
【０００９】
方法の更なる態様によると、一連の視覚的表示を提示する工程は、各視覚的キューを、カテーテルのアイコンの印に適用する工程を含み、視覚的キューは、心臓カテーテルの各機能的要素の状態を符号化する。
【００１０】
方法の更に別の態様によると、視覚的キューは、機能的要素の１つと関連付けられた、色及びパターンのうちの少なくとも１つを含む。
【００１１】
方法の更に別の態様によると、視覚的キューは、機能的要素の１つと関連付けられた数値記述子を含む。
【００１２】
方法のまた別の態様によると、視覚的キューは、機能的要素の１つと関連付けられた形状を含む。
【００１３】
方法の追加の態様によると、視覚的キューは、機能的要素の１つのデエンファシスを含む。
【００１４】
方法のまた別の態様によると、心臓の画像は、機能的な電気解剖学的画像である。
【００１５】
本発明の実施形態によるデータ処理システムが更に提供され、データ処理システムは、プロセッサと、視覚的表示画面と、プログラム及びデータオブジェクトをプロセッサ内に記憶するプロセッサにアクセス可能なメモリと、を備え、プログラムは、グラフィカル情報を視覚的表示画面に提示するよう構成されているグラフィカルユーザーインターフェースジェネレータを含み、プログラムの実行により、プロセッサが、一連の視覚的表示を提示し、この表示は、心臓及び心臓カテーテルの遠位部分の各現在の画像を含み、心臓カテーテルの遠位部分を表すカテーテルのアイコンを更に含み、カテーテルのアイコンは、心臓の画像と分離されており、カテーテルのアイコンは、心臓カテーテルの機能的要素を表す印を有する。
【図面の簡単な説明】
【００１６】
本発明をより深く理解するため、発明を実施するための形態を例として参照すると、発明を実施するための形態は、同様の要素に同様の参照番号を付した以下の図面と併せ読むべきものである。
【図１】本発明の実施形態に従う医療処置を行うためのシステムのイラスト図である。
【図２】本発明の実施形態に従う画面表示の図である。
【図３】本発明の実施形態に従う画面表示の図である。
【図４】本発明の代替実施形態に従う画面表示の図である。
【図５】本発明の代替実施形態に従う画面表示の図である。
【図６】本発明の代替実施形態に従う画面表示の図である。
【図７】本発明の代替実施形態に従う画面表示の図である。
【図８】本発明の代替実施形態に従う画面表示の図である。
【図９】本発明の代替実施形態に従う、心臓カテーテル法の間に生成される例示的な画面表示の図である。
【発明を実施するための形態】
【００１７】
以下の説明では、本発明の様々な原理の深い理解を促すため、多くの具体的な詳細について記載する。しかしながら、これらのすべての詳細が本発明の実施に必ずしも必要ではないことが、当業者には理解されよう。この場合、一般的な概念を不要に曖昧にすることのないよう、周知の回路、制御論理、並びに従来のアルゴリズム及び処理に対するコンピュータプログラム命令の詳細については、詳しく示していない。
【００１８】
本発明の態様は、通常、コンピュータ可読媒体などの永久記憶装置内に保持される、ソフトウェアプログラミングコードの形態で具体化することができる。クライアント／サーバー環境において、かかるソフトウェアプログラミングコードは、クライアント又はサーバーに記憶される。ソフトウェアプログラミングコードは、ＵＳＢメモリ、ハードドライブ、電子媒体、又はＣＤ−ＲＯＭなどの、データ処理システムと共に使用するための様々な既知の非一時的媒体のうちのいずれに対しても具現化され得る。コードは、このような媒体上で配布でき、あるいは１つのコンピュータシステムのメモリ又は記憶装置から、ある種のネットワークを介して、別のコンピュータシステムのユーザーが使用するために、該別のシステム上の記憶装置に配布できる。
【００１９】
開示される実施形態は、特に、心臓内カテーテル、及びアブレーション処置に関連するが、本発明の原理は、実質的にあらゆる種類の侵襲性熱治療において使用するために、必要であれば変更を加えて、他の種類のプローブに同様に適用され得る。
【００２０】
概論
ここで図面を参照し、図１を最初に参照すると、この図１は、開示される本発明の実施形態に従って構築され、動作する、生存被験者の心臓１２に対して診断的又は治療的処置を実行するためのシステム１０のイラスト図である。このシステムは、患者の血管系を通して、心臓１２の心腔又は血管構造内に操作者１６によって経皮的に挿入されるカテーテル１４を備えている。通常、医師である操作者１６は、カテーテルの遠位先端部１８を、心臓壁のアブレーション標的部位と接触させる。それらの開示内容が参照により本明細書に組み込まれる米国特許第６，２２６，５４２号及び同第６，３０１，４９６号、並びに本願と同一譲受人に譲渡された米国特許第６，８９２，０９１号に開示される方法に基づいて、機能的な電気解剖学的マップ、例えば、電気的活性化マップを作製することができる。システム１０の要素を具現化する１つの市販製品は、Ｂｉｏｓｅｎｓｅ  Ｗｅｂｓｔｅｒ，Ｉｎｃ．（３３３３  Ｄｉａｍｏｎｄ  Ｃａｎｙｏｎ  Ｒｏａｄ，Ｄｉａｍｏｎｄ  Ｂａｒ，ＣＡ  ９１７６５）より入手可能な、ＣＡＲＴＯ（登録商標）３システムとして入手可能である。このシステムは、本明細書に記載される本発明の原理を具現化するように、当業者によって変更することができる。
【００２１】
例えば、電気的活性化マップの評価によって異常と判定された領域は、例えば、心筋に高周波エネルギーを加える遠位先端部１８の１つ又は２つ以上の電極に、カテーテル内のワイヤーを通して高周波電流を流すことなどにより熱エネルギーを加えることによってアブレーションを行うことができる。エネルギーは、組織に吸収され、それを電気的興奮性が恒久的に失われる点（通常、約５０℃）に加熱する。支障なく行われた場合、この処置によって心臓組織に非伝導性の損傷部位が形成され、この損傷部位が不整脈を引き起こす異常な電気経路を遮断する。本発明の原理を異なる心腔に適用することによって多くの異なる心不整脈を治療することができる。
【００２２】
カテーテル１４は、通常、アブレーションを行うために、操作者１６が、所望により、カテーテルの遠位端の方向転換、位置決め、及び方向決めを行うことを可能にする、好適な制御部を有するハンドル２０を備えている。操作者１６を支援するために、カテーテル１４の遠位部分は、コンソール２４内に設置された位置プロセッサ２２に信号を提供する、位置センサー（図示せず）を収容する。
【００２３】
アブレーションエネルギー及び電気信号を、遠位先端部１８に、又は遠位先端部１８に又はその付近に設置された、１つ又は２つ以上の電極３２を通して、コンソール２４に至るケーブル３４を介し、心臓１２へ及び心臓１２から、搬送することができる。ペーシング信号及び他の制御信号は、コンソール２４から、ケーブル３４及び電極３２を通して、心臓１２へと搬送することができる。やはりコンソール２４に接続された、１つ又は２つ以上の検知電極３３が、アブレーション電極３２の近くに配置され、ケーブル３４に接続されている。
【００２４】
コンソール２４は、ワイヤー接続３５によって身体表面電極３０、及び位置決定サブシステムの他の構成要素と接続されている。電極３２及び身体表面電極３０は、参照により本明細書に組み込まれる、米国特許第７，５３６，２１８号（Ｇｏｖａｒｉら）に教示されるように、アブレーション部位での組織のインピーダンスを測定するために使用することができる。熱電対３１などの温度センサは、アブレーション電極３２上又はその近辺、必要に応じて感知電極３３の近辺に実装され得る。熱電対３１は、更なる詳細を後述するように、電極回路に接続されている。
【００２５】
コンソール２４には、通常、１つ又は２つ以上のアブレーション電力発生装置２５が収容されている。カテーテル１４は、例えば、高周波エネルギー、超音波エネルギー、及びレーザー生成光エネルギーなどの任意の既知のアブレーション技術を用いて、心臓にアブレーションエネルギーを伝導するように、適合させることができる。かかる方法は、参照により本明細書に組み込まれる本願と同一譲受人に譲渡された米国特許第６，８１４，７３３号、同第６，９９７，９２４号、及び同第７，１５６，８１６号に開示されている。
【００２６】
位置決めプロセッサ２２は、カテーテル１４の場所及び方向座標を測定するシステム１０における位置決めサブシステムの要素である。
【００２７】
一実施形態において、この位置決めサブシステムは、磁場生成コイル２８を使用して、既定の作業体積内に磁場を生成し、カテーテルにおけるこれらの磁場を検知することによって、カテーテル１４の位置及び向きを判定する、磁気位置追跡の配置構成を含む。位置決めサブシステムは、例えば、参照により本明細書に組み込まれる米国特許第７，７５６，５７６号、及び上記の米国特許第７，５３６，２１８号に教示されているインピーダンス測定を採用することができる。
【００２８】
上述したように、カテーテル１４は、コンソール２４に連結され、これにより操作者１６が、カテーテル１４の機能を観察及び調節できるようになっている。コンソール２４は、プロセッサ、好ましくは適切な信号処理回路を有するコンピュータを含む。プロセッサは、モニタ２９を駆動することにより、後述の視覚的表示を生成するよう動作するグラフィカルユーザーインターフェースプログラムを実行するように、連結されている。信号処理回路は、通常、カテーテル１４の遠位側に設置された上述のセンサ及び複数の場所検知電極（図示せず）によって生成される信号を含むカテーテル１４からの信号を、受信、増幅、フィルタリング、及びデジタル化する。デジタル化された信号は、コンソール２４及び位置決めシステムによって受信かつ使用され、カテーテル１４の位置及び向きを計算し、電極からの電気信号を分析する。
【００２９】
簡略化のため図には示されていないが、通常、システム１０には、他の要素も含まれる。例えば、システム１０は、心電図（ＥＣＧ）モニタ−を含むことができ、このＥＣＧモニタ−は、１つ又は２つ以上の身体表面電極から信号を受信するように連結され、ＥＣＧ同期信号をコンソール２４に提供する。また、上述の通り、システム１０は、通常、患者の身体の外側に取り付けられた外部から貼付された参照パッチ、又は心臓１２内に挿入され、心臓１２に対して固定位置に維持されている、体内に置かれたカテーテルのいずれかにおいて、参照位置センサをも備える。カテーテル１４にアブレーション部位を冷却するための液体を通して循環させるための従来のポンプ及びラインが設けられている。
【００３０】
組織に対して正確なアブレーションを行うために、例えば、その中で組織温度が重要な変数である既知の手順に従って、実際の動作におけるアブレーションカテーテルの動きを理解しかつモデル化することが望ましい。
【００３１】
心臓カテーテル法をモニタするために用いられる現代の撮像システムにより、動的に変化する、ますます多くの情報が操作者に提示され、操作者によって情報を効率的に処理することが妨げられるほどになっている。現代のナビゲーション及びアブレーションカテーテルは、通常、複数のセンサ、検知電極、及びアブレーション電極を有し、多くの組み合わせにおいて稼働できる。これらのそれぞれは、特有の時変状態を有し、このことは、操作者が、心機能に関する広範な電気解剖学的情報と同時に評価するのに重要である。図９の例におけるグラフィカル画像は、既知の撮像システムを使用する操作者が直面する問題の本質を示している。カテーテルのアイコン表現は、心臓の電気解剖学的又は機能的マップの中に埋まっている。カテーテルは、例えば、センサ及び電極といった複数の要素を有する。番号が付けられた要素もあれば、要素の上に押した円及び幾何学パターンなどの視覚的キューで強調された要素もある。視覚的キューは、特定の要素の現状を符号化し、操作者にとって有意義である。しかしながら、キューは、機能的マップによって部分的に不鮮明になっており、操作者による認識が難しい場合もある。
【００３２】
ユーザーインターフェース
ここで図２を参照すると、図２は、本発明の実施形態に従う画面表示３７である。この画面表示、及び次の画面表示が、カテーテル法処置の間、モニタ２９に出現し得る。心臓３９の輪郭は、破線で示されている。カテーテル４１の遠位部分の表現を、特定の場所及び向きの心臓３９内部に示す。別個のアイコン４３が、画面の左上部分に出現し、カテーテル４１の遠位部分の拡大カテーテル画像４５を含んでいる。図２において、カテーテル画像４５は、カテーテル４１の向きと観点とを一致させる。しかしながら、これは、必須ではない。操作者は、操作のフリーホイールモードを選択することができ、この場合、カテーテル画像４５は、カテーテル４１の向きとは関係なく、操作者が選択する向きに対するいずれの軸においても回転可能である。
【００３３】
カテーテル４１及びアイコン４３が、心臓３９の画像と分離しているため、アイコン４３は、心臓によって不鮮明にならない。これは、画面表示３７の中央部における心臓３９の重畳画像内にあるカテーテル４１の詳細を認識するのが難しいのと、対照的である。上記の通り、このことは、心臓３９内の解剖学的構造及び電気的事象を表すことが求められ得る、カテーテル４１の機能的要素の状態に関する情報に、特に当てはまる。かかる情報は、提示を明瞭にするため、図において見られないが、実際は、かなり広範で詳細な、例えば、疑似カラー、データポイント、数値情報であり得る。心臓３９の提示は、望ましく、本当に必要であるが、それにもかかわらず、その詳細な状態情報を操作者に提示しなければならないカテーテル４１を不鮮明にする。カテーテル４１とアイコン４３との一致する向きは、三次元座標系４７を基準としてもよい。
【００３４】
左上隅のアイコン４３の位置は、例示的なものである。実際の位置及び倍率は、操作者によって構成可能又は制御可能であり、アイコン４３は、便利な位置に置かれ、なお、心臓の表現を妨げない。図２で網掛け領域４９によって示す、任意選択の視覚的強調を設け、アイコン４３が、操作者を支援するようにしてもよい。
【００３５】
アイコン４３内のカテーテル画像４５の生成は、１回目にカテーテルをメインウインドウに表示して（心臓３９の三次元ビューの内部）、続いて２回目にカテーテルをアイコン４３内部のカテーテル画像４５として表示し、その軸回転及び長手方向の向きを維持することによって、達成する。カテーテル画像４５の拡大縮小は、カテーテルの境界ボックス（カテーテル４１の境界ボックスの最大主対角線）が、アイコンビュー内部に収まるようにする。
【００３６】
ここで図３を参照すると、図３は、本発明の実施形態に従う画面表示５１である。カテーテル４１の向きが座標系４７に対して異なる点を除いて、画面表示５１は、画面表示３７（図２）と同様である。新しい向きは、アイコン５５におけるカテーテル４１の遠位部分の、カテーテル画像５３の向きにおいて反映される。
【００３７】
第１の代替実施形態
ここで図４を参照すると、図４は、本発明の実施形態に従う画面表示５７である。アイコン６３内のカテーテル画像６１において最も良く見られるように、カテーテル５９が、複数の環状電極を有するループ又はラッソである点を除いて、画面表示５１は、画面表示３７（図２）と同様である。環状電極６５、６７（細かい線のパターンで示す）は、二極式センサとして稼働して使用中であることが、視覚的に明白である。
【００３８】
ここで図５を参照すると、図５は、本発明の実施形態に従う画面表示６９である。カテーテル５９の向きが異なり、部分的に螺旋状のねじれがある点を除いて、画面表示６９は、画面表示５７（図４）と同様である。アイコン７３内のカテーテル画像７１において、１つの環状電極７５が、現在、稼働中であり、ここでは細かい線のパターンにより示した視覚効果により、その同類のものと容易に識別される。状態情報（３２８．３）は、別の環状電極７７に関して表示される。かかる細部がカテーテル５９においてのみ示された場合、操作者にとってもっと見づらいであろうことは、理解されよう。
【００３９】
第２の代替実施形態
ここで図６を参照すると、図６は、本発明の代替実施形態に従う画面表示７９である。現在、アイコン８１で、カテーテル画像８３における環状電極６５、６７が、視覚的キュー（円）によって視覚的に強調されている点を除いて、本実施形態は、図５に示す実施形態と同様である。あるいは、キューの対象となる要素が、センサである場合、かかるキューは、正常又は異常な機能的状態、例えば、不十分又は過剰な圧力又は温度を示し得る。電極及びセンサの状態は、処置の間、動的に変化するため、操作者が異常な状況の警告を受けることが重要である。
【００４０】
第３の代替実施形態
ここで図７を参照すると、図７は、本発明の代替実施形態に従う画面表示８５である。本実施形態は、図４に示す実施形態と同様である。アイコン８７は、カテーテル画像８９を含むが、環状電極９１、９３、９５、９７、９９は、現在、数字と関連付けられている。この種の数値的印は、画面表示の外部の表の情報などと相関し得る。加えて、あるいはその代わりに、かかる数字は、センサの実際の示度又はアブレーション電極を通過する電流を示し得る。多種の有用なセンサをカテーテルに組み込み、センサの状況をカテーテル画像８９上で表してもよい。
【００４１】
第４の代替実施形態
ここで図８を参照すると、図８は、本発明の代替実施形態に従う画面表示１０１である。アイコン１０３は、カテーテル画像１０５を含む。本実施形態は、図７に示す実施形態と同様である。環状電極９１、９３、９５、９７、９９は、図７のように、数値的印と関連付けられている。環状電極１０７は、図６のように、視覚的キューによって強調されている。本実施形態は、アイコン１０３を提示するときに可能な多様性を示している。当業者は、例えば、ハイライト表示、点滅、グレーアウト表示によるデエンファシスによるカテーテルの強調など、他の多くの視覚的キューに想到するであろう。
【実施例】
【００４２】
ここで図９を参照すると、図９は、本発明の実施形態に従う、心臓カテーテル法の間の、上記ＣＡＲＴＯ  ３システムによって生成される例示的な画面表示１０９である。心臓の機能的な電気解剖学的マップは、疑似カラーで表示され、マップ中、図９における異なる細かい線のパターン及び陰影のパターンによって、局部的活性化時間（local activation times）を表す。画面表示１０９は、本発明の実施形態に従うアイコン１１１及びカテーテル画像１１３を含む。心臓１１７内部のラッソカテーテル１１５は、電気解剖学的マップの詳細、及びカテーテル１１５の環状電極によるマッピングの間、先に取得したデータポイントクラウド（点１１９）によって、部分的に不鮮明になっている。カテーテル１１５の向き、及びその環状電極の状態の表示は、カテーテル画像１１３における向き及び様々な視覚的キューによって認識可能である。
【００４３】
当業者であれば、本発明は、以上で具体的に示し、説明したものに限定されない点は、理解するところであろう。むしろ、本発明の範囲は、以上で述べた様々な特徴の組み合わせ及び一部の組み合わせ、並びに上記の説明を読むことで当業者が想到するであろう、従来技術にはない特徴の変形及び改変をも含むものである。
【００４４】
〔実施の態様〕
（１）  医療処置を誘導するための方法であって、
心臓カテーテルを生存被験者の心臓内に挿入する工程であって、該心臓カテーテルは、その遠位部分に配置された機能的要素を有する、工程と、
その後、該心臓カテーテルから該心臓に関する電気生理学的データを取得する工程と、
電気生理学的データを取得しながら、一連の視覚的表示を提示する工程であって、該表示は、該心臓とその内部の該心臓カテーテルの該遠位部分との、それぞれの現在の画像を含み、該心臓カテーテルの該遠位部分を表すカテーテルのアイコンを更に含み、該カテーテルのアイコンは、該心臓の該画像と分離されており、該カテーテルのアイコンは、該心臓カテーテルの該機能的要素を表す印を有する、工程と、を含む、方法。
（２）  前記カテーテルのアイコンが、前記心臓内の前記心臓カテーテルの前記遠位部分の現在の向きと一致する向きを有する、実施態様１に記載の方法。
（３）  前記一連の視覚的表示を提示する工程が、前記心臓の前記画像に対して前記カテーテルのアイコンを拡大する工程を含む、実施態様１に記載の方法。
（４）  前記一連の視覚的表示を提示する工程が、各視覚的キューを、前記カテーテルのアイコンの前記印に適用する工程を含み、該視覚的キューが、前記心臓カテーテルの各機能的要素の状態を符号化する、実施態様１に記載の方法。
（５）  前記視覚的キューが、前記機能的要素の１つと関連付けられた、色及びパターンのうちの少なくとも１つを含む、実施態様４に記載の方法。
【００４５】
（６）  前記視覚的キューが、前記機能的要素の１つと関連付けられた数値記述子を含む、実施態様４に記載の方法。
（７）  前記視覚的キューが、前記機能的要素の１つと関連付けられた形状を含む、実施態様４に記載の方法。
（８）  前記視覚的キューが、前記機能的要素の１つのデエンファシスを含む、実施態様４に記載の方法。
（９）  前記心臓の前記画像が、機能的な電気解剖学的画像を含む、実施態様１に記載の方法。
（１０）  データ処理システムであって、
プロセッサと、
視覚的表示画面と、
プログラム及びデータオブジェクトを内部に記憶する、該プロセッサにアクセス可能なメモリと、を含み、該プログラムは、グラフィカル情報を該視覚的表示画面に提示するよう構成されているグラフィカルユーザーインターフェースジェネレータを含み、該プログラムの実行により、該プロセッサは、
心臓カテーテルを用いて心臓からの電気生理学的データを取得しながら、一連の視覚的表示を提示する工程であって、該表示は、該心臓と該心臓カテーテルの遠位部分との各現在の画像を含み、該心臓カテーテルの該遠位部分を表すカテーテルのアイコンを更に含み、該カテーテルのアイコンは、該心臓の該画像と分離されており、該カテーテルのアイコンは、該心臓カテーテルの機能的要素を表す印を有する、工程を行う、データ処理システム。
【００４６】
（１１）  前記カテーテルのアイコンが、前記心臓内の前記心臓カテーテルの前記遠位部分の現在の向きと一致する向きを有する、実施態様１０に記載のシステム。
（１２）  前記一連の視覚的表示を提示する工程が、前記心臓の前記画像に対して前記カテーテルのアイコンを拡大する工程を含む、実施態様１０に記載のシステム。
（１３）  前記一連の視覚的表示を提示する工程が、各視覚的キューを前記カテーテルのアイコンの前記印に適用する工程を含み、該視覚的キューが、前記心臓カテーテルの各機能的要素の状態を符号化する、実施態様１０に記載のシステム。
（１４）  前記視覚的キューが、前記機能的要素の１つに関連付けられた、色及びパターンのうちの少なくとも１つを含む、実施態様１３に記載のシステム。
（１５）  前記視覚的キューが、前記機能的要素の１つと関連付けられた数値記述子を含む、実施態様１３に記載のシステム。
【００４７】
（１６）  前記視覚的キューが、前記機能的要素の１つと関連付けられた形状を含む、実施態様１３に記載のシステム。
（１７）  前記視覚的キューが、前記機能的要素の１つのデエンファシスを含む、実施態様１３に記載のシステム。
（１８）  前記心臓の前記画像が、機能的な電気解剖学的画像を含む、実施態様１０に記載のシステム。
【図１】
2015039631.tif 000003
【図２】
2015039631.tif 000004
【図３】
2015039631.tif 000005
【図４】
2015039631.tif 000006
【図５】
2015039631.tif 000007
【図６】
2015039631.tif 000008
【図７】
2015039631.tif 000009
【図８】
2015039631.tif 000010
【図９】
2015039631.tif 000011
【外国語明細書】
2015039631000001.pdf